(57)【要約】【課題】メモ用紙や原稿用紙の挟持機構として用紙挿入がし易く、且つ、挟持機能に優れた簡単構成のユニークな用紙ホルダー及び原稿ホルダーを提供する。【解決手段】本発明は、両側端を開口した裏面パネル、表面パネル、及び、挟持部材、挟持部材を挟着する挟着溝、更に、原稿ホルダーとする場合は裏面パネルに原稿支持部を伸設して、前記両パネルの一端側を連結させてなるホルダー筐体を備える用紙保持具である。上記の好ましい実施形態としては、ＡＳ樹脂により透明ホルダー筐体を一体型として押出し成型し、該透明ホルダーの挟着溝にカラーゴムチューブの一端を挟着すると共に他端を挟持片として裏面パネルと表面パネルの開口挿入口から挿入した用紙（原稿）を前記表面パネルに押圧挟持し得るよう構成した用紙ホルダー及び原稿ホルダーである。【選択図】    図１
2004322355.tif 000002
【特許請求の範囲】
【請求項１】
裏面パネル及び表面パネルの一端側が連結され両側端が開口したホルダー筐体と、前記裏面パネル又は前記表面パネルの何れかに形成された挟着溝と、弾性素材からなり前記挟着溝に挟着される挟持部材と、前記裏面パネル及び前記表面パネルの両他端部間に形成され用紙が挿入される挿入口とを備えることを特徴とする用紙ホルダー。
【請求項２】
前記挟持部材は、ゴムチューブであることを特徴とする請求項１記載の用紙ホルダー。
【請求項３】
前記ホルダー筐体が樹脂素材で一体成型されたことを特徴とする請求項１又は２記載の用紙ホルダー。
【請求項４】
前記樹脂素材は透明性であると共に、前記挟持部材はカラーゴムチューブであることを特徴とする請求項３記載の用紙ホルダー。
【請求項５】
前記裏面パネルにおける、その他端部を前記表面パネル側に折り返してなる折り返し部を形成して該折り返し部の内側を前記挟着溝とし、該折り返し部の外側面で用紙をガイドする裏面ガイド部とすると共に、前記表面パネルに、その他端部を末広がり状に形成し、その内側面で用紙をガイドする表面ガイド部としたことを特徴とする請求項１〜４の何れか一つに記載の用紙ホルダー。
【請求項６】
前記表面パネルにおける、その他端部を前記裏面パネル側に折り返してなる折り返し部を形成し、該折り返し部の内側を前記挟着溝とすると共に、該折り返し部の外側面で用紙をガイドする表面ガイド部とすることを特徴とする請求項１〜４の何れか一つに記載の用紙ホルダー。
【請求項７】
前記ホルダー筐体の一部に形成されたフック溝と、前記フック溝に嵌挿される懸吊用フックとを有することを特徴とする請求項１〜６の何れか一つに記載の用紙ホルダー。
【請求項８】
前記裏面パネル及び表面パネルの一端側が連結され両側端が開口したホルダー筐体と、前記裏面パネルに形成された挟着溝と、前記挟着溝に挟着され弾性素材からなる挟持部材と、前記裏面パネルの他端部から所定の傾斜角をもって伸設された原稿支持部と、前記表面パネルの他端部に前記原稿支持部に対して末広がりの角度をなして該原稿支持部よりも短く伸設された表面ガイド部と、前記曲面ガイド部と前記表面ガイド部との間に原稿が挿入される挿入口とを備えることを特徴とする原稿ホルダー。
【請求項９】
前記挟持部材は、ゴムチューブであることを特徴とする請求項８記載の原稿ホルダー。
【請求項１０】
前記ホルダー筐体が、樹脂素材で一体成型されたことを特徴とする請求項８又は９記載の原稿ホルダー。
【請求項１１】
前記樹脂素材は透明性であると共に、前記挟持部材はカラーゴムチューブであることを特徴とする請求項１０記載の原稿ホルダー。
【請求項１２】
前記原稿支持部と前記裏面パネルの連結部分には、前記挿入口に挿入された原稿を曲面状に支持する曲面ガイド部が形成されていることを特徴とする請求項８〜１１の何れか一つに記載の原稿ホルダー。
【請求項１３】
前記ホルダー筐体の一部に形成されたカーソル溝と、前記カーソル溝に摺動自在に嵌挿されるカーソルとを有することを特徴とする請求項８〜１２の何れか一つに記載の原稿ホルダー。
【請求項１４】
前記裏面パネルにパーソナルコンピュータへの取付け用のクリップホルダーを備えたことを特徴とする請求項８〜１３の何れか一つに記載の原稿ホルダー。
【発明の詳細な説明】
【０００１】
【発明の属する技術分野】
第１発明の用紙ホルダーは、複数枚のメモ用紙などを一時的に挟持保持すると共に一枚ずつの用紙が抜取れるようにした用紙ホルダーである。
第２発明の原稿ホルダーは、パーソナルコンピュータ（パソコン）やワードプロセッサ（ワープロ）等への入力作業時に文字や図形情報等の原稿をモニタ最近傍の見易い位置に挟持保持するための原稿ホルダーである。
【０００２】
【従来の技術】
１）用紙（ホルダー）クリップ
従来、用紙をクリップする代表的な保持具としてバネ式、マグネット式等のクリップが用いられている。又、植毛状に加工した所謂ゴムヒゲ弾力で用紙を片側から挟むようにしたもの（例えば、特許文献１、特許文献２）やゴムヒゲ体を両側からつき合わせて用紙を挟むようにしたクリップ（例えば、特許文献３）が開示されている。
【０００３】
２）原稿ホルダー
パソコン等への入力作業時に原稿書類をモニタ近くに挟持する保持具として、図１３のようなデータスタンド６０等が古くから普及している。データスタンド６０は、図示するような台座に角度や高さ調整機構を備えたスタンド６１にボード６２が取付けられ、クリップ６３やカーソル６４が配置されて原稿（用紙）１３の上端を挟持するようにした原稿挟持具である。
しかし、上記データスタンド６０は設置スペースを占有してしまう欠点に加え、従来のクリップやマグネット式の挟持具では複数枚の用紙を挟持保持した状態から表面の１枚目を抜取ると、殆どの場合、残りの用紙も一挙に抜け落ちてしまう重大な欠点がある。
また、原稿挟持具をモニタ筐体に設ける先行技術に回動式やスライド式の組込み型としたもの（例えば、特許文献４、文献５参照）、更には、原稿ホルダーを原稿保持フレームに取付けて回動機構を介して折畳式にしたもの（例えば、特許文献６参照）が開示されている。
【０００４】
【特許文献１】
特開昭６０−１２９２９７
【特許文献２】
特開２００１−３９０７０号公報
【特許文献３】
特許第２５２９６１７号公報
【特許文献４】
特許第２９７２５７８号公報
【特許文献５】
特開平５−２５７５７０号公報
【特許文献６】
特開２００２−１５７０４５号公報
【０００５】
【発明が解決しようとする課題】
本発明が解決しょうとする課題は、下記する従来技術の欠点を克服し得る用紙挟持機構を備えた用紙ホルダー、及び、モニタへの取付け用の原稿ホルダーを提供することである。
さて、用紙クリップやホルダーにおける重要課題は用紙に対する挟持構成と該着脱時の挟持部の動作対応である。図１０は、ワンタッチ紙挟み５０として開示されている前記特許文献１からの引用図であり、図１０（ａ）はヒゲ板５２に植毛状に設けた多数のゴムヒゲ５１で用紙１３を基板５４に挟持した状態、そして、図１０（ｂ）は図１０（ａ）の挟持状態から用紙を矢印方向に抜取る状態を示している。図１０（ｂ）に示すようにこの特許文献１の開示技術では、用紙を抜取る際にゴムヒゲと用紙の接触摩擦力でゴムヒゲが逆側に反転して倒れ込んでしまう結果、次に用紙が挿入出来ない欠点課題が生じる。
【０００６】
そこで、上記特許文献１における課題を解決する公知技術に図１１及び図１２に示すゴムヒゲ５１を用いた特許文献２と特許文献３が開示されている。
先ず、図１１（ａ）は特許文献２にメモクリップ５５として記載されている構成内容で用紙１３が挟持された状態、そして、図１１（ｂ）は図１１（ａ）の挟持状態から用紙１３を矢印方向に抜取る状態を示している。本開示技術では用紙１３を抜取る際に、ゴムヒゲ５１が用紙の接触摩擦力で引き摺られて倒れ込むのを防止する手段として、図示のようにゴムヒゲ５１間にゴムヒゲより背の低い湾曲阻止部５６を基板５７に設ける解決手段が示されている。しかし、この挟持構成はゴム硬度、湾曲阻止部高さ、挟持枚数との関係によりゴムヒゲの反転阻止動作が微妙、且つ、不安定になることが避けられない。
【０００７】
一方、特許文献３には図１２のようにゴムヒゲ板５２を両側配置にしてゴムヒゲ５１を両側から突合せ、前記課題解決を図る構成が示されている。即ち、図１２（ａ）のように用紙１３の挟持状態から用紙を引抜いた際に、該突合せ配置されたゴムヒゲ片が図１１（ｂ）に示すように、弾性力作用で元の状態に復帰される効果で課題解決を図るようにした構成である。しかし、この挟持方法では両側にゴムヒゲ板を対向配置する必要があるので、挟持部が分厚くなって複雑化し高価になることが避けられず、更に、両側から原稿を挟持する構成は、挟持される原稿の端部が読取れないので原稿ホルダー用としては機能的に不向きである。
【０００８】
次に、従来の原稿ホルダに関する課題について説明する。図１３に引用したボード６２型のデータスタンド６０を初め、前記特許文献４、５、６の原稿挟持具の開示技術を含め、従来の原稿挟持方法は原稿（用紙）１３の上端をクリップする構成であった。そこで、本第２発明の原稿ホルダーが課題解決を図ろうとする課題は以下の通りである。
１）図１３に示したデータスタンドは、使用、不使用時に係らず狭い作業机上に設置スペースを占有してしまう欠点がある。
２）モニタ筐体への組込み型を前提とした前記各特許文献に開示されている原稿挟持具は、使用時に開き、不使用時はモニタ筐体側に折畳んだり、回動収納する機構を必要とする結果、装置が複雑で実施コストも高く操作上も不便である。
３）従来の原稿挟持具における課題。
前記図１３に例示したデータスタンドのクリップやマグネット式の原稿挟持具は、原稿着脱時に両手を必要とする操作性の不便さもさることながら、予め複数枚の原稿１３をクリップ６３した状態から、入力済み後に表の１枚目を抜取ると残りの原稿が抜け落ちる欠点がある。従って、原稿を１枚ずつ着脱する煩わしい不便課題があって入力作業における効率低下の原因にもなっていた。
【０００９】
【課題を解決するための手段】
上述の課題を解決するために、本発明に係る用紙ホルダーは、裏面パネル及び表面パネルの一端側が連結され両側端が開口したホルダー筐体と、前記裏面パネル又は前記表面パネルの何れかに形成された挟着溝と、弾性素材からなり前記挟着溝に挟着される挟持部材と、前記裏面パネル及び前記表面パネルの両他端部間に形成され用紙が挿入される挿入口とを備えたものである（請求項１）。
【００１０】
また、上記請求項１に記載の用紙ホルダーにおいて、前記挟持部材はゴムチューブであることが好ましい（請求項２）。
【００１１】
また、上記請求項１又は２に記載の用紙ホルダーにおいて、前記ホルダー筐体は、樹脂素材で一体成型することが好ましい（請求項３）。
【００１２】
また、上記請求項３に記載の用紙ホルダーにおいて、前記樹脂素材は透明性であると共に、前記挟持部材はカラーゴムチューブであることが好ましい（請求項４）。
【００１３】
また、上記請求項１〜４に記載の用紙ホルダーにおいて、前記裏面パネルにおける、その他端部を前記表面パネル側に折り返してなる折り返し部を形成して該折り返し部の内側を前記挟着溝とし、該折り返し部の外側面で用紙をガイドする裏面ガイド部とすると共に、前記表面パネルにおける、その他端部を末広がり状に形成し、その内側面で用紙をガイドする表面ガイド部とするか（請求項５）、若しくは前記表面パネルに、その他端部が前記裏面パネル側に折り返されてなる折り返し部を形成し、該折り返し部の内側を前記挟着溝とすると共に、該折り返し部の外側面で、用紙をガイドする表面ガイド部とすることが好ましい（請求項６）。
【００１４】
また、上記請求項１〜６に記載の用紙ホルダーにおいて、前記ホルダー筐体の一部に形成されたフック溝と、前記フック溝に嵌挿される懸吊用フックとを有して構成することが好ましい（請求項７）。
【００１５】
また、本発明に係る原稿ホルダーは、前記裏面パネル及び表面パネルの一端側が連結された両側端が開口したホルダー筐体と、前記裏面パネルに形成された挟着溝と、前記挟着溝に挟着された弾性素材からなる挟持部材と、前記裏面パネルの他端部から所定の傾斜角で伸長された原稿支持部と、前記表面パネルの他端部に前記原稿支持部に対して末広がりの角度をなして該原稿支持部よりも短く伸設された表面ガイド部と、前記曲面ガイド部と前記表面ガイド部との間に原稿が挿入される挿入口とを備えたものである（請求項８）。
【００１６】
また、上記請求項８に記載の原稿ホルダーにおいて、前記挟持部材はゴムチューブであることが好ましい（請求項９）。
【００１７】
また、上記請求項８又は９に記載の原稿ホルダーにおいて、前記ホルダー筐体は樹脂素材で一体成型したものが好ましい（請求項１０）。
【００１８】
また、上記請求項１０に記載の原稿ホルダーにおいて、前記樹脂素材は透明性であると共に、前記挟持部材はカラーゴムチューブであることが好ましい（請求項１１）。
【００１９】
また、上記請求項８〜１１に記載の原稿ホルダーにおいて、前記原稿支持部と前記裏面パネルの他端部との連結部分には、前記挿入口に挿入された原稿を曲面状に支持する曲面ガイド部が形成されていることが好ましい（請求項１２）。
【００２０】
また、上記請求項８〜１２に記載の原稿ホルダーにおいて、前記ホルダー筐体の一部に形成されたカーソル溝と、前記カーソル溝に摺動自在に嵌挿されるカーソルとを有することが好ましい（請求項１３）。
【００２１】
また、上記請求項８〜１３に記載の原稿ホルダーにおいて、前記裏面パネルにパーソナルコンピュータへの取付け用のリップホルダーを備えることが好ましい（請求項１４）。
【００２２】
さて、前記本発明の特徴及び効果についてまとめると以下の通りである。
１）ゴム又はゴムと同等の弾性力を有する素材で加工された挟持部材を用い、該挟持部材の一端を挟持溝に挟着し、該挟持部材の他端を挟持片として表面パネル又は裏面パネルとの間で用紙を押圧挟持する構造である。
２）前記挟持部材として、筒状や角柱状の所謂中空状に成型加工したゴムチューブを用いた場合、用紙をチューブに周接させながら円滑に挿入することができると共に、チューブの剛性強さと弾力効果がよく発揮されるので、用紙を充分な挟持力で保持することができる。また、用紙を取出す際には、チューブ挟持片が用紙の接触摩擦力で引き摺られて反転する従来のような問題が生ずることは一切なく（図１、図８参照）、優れた挟持部を低コストで供給することができる。
３）挟持部材は接着材で固着する必要がない。
即ち、ホルダー筐体の両側端を開口した形体により、挟着溝をプラスチック金型の押出し成型（異形押出し）によってホルダー筐体に一体加工することができる。前記構成として、挟持部材を該挟着溝に単に挟着させることのみでよいので、用紙ホルダーや原稿ホルダーの低コスト量産が可能である（図２参照）。
【００２３】
４）特に、図７〜図９の実施例のように本発明を原稿ホルダーに適用する場合、挟持された原稿の挟持端部の内容が利用者によって読み取れる必要がある。従って、前記特許文献３の挟持構成のように原稿を両側から挟持するのではなく、この場合、表面パネルを透明体として原稿の裏面側から表面パネル側に押圧挟持する必要があるが、本発明に係るホルダー筐体は熱可塑性プラスチックの透明なＡＳ樹脂（アクリロニトリル／スチレン）を用いた押出し成型によって容易、且つ、良好に量産加工することができる。
５）前記ホルダー筐体の押出し成型の利点と関連して、該ホルダー筐体の基端部にフック溝を加工し、該フック溝にフックを嵌挿することにより、懸吊用フック付き用紙ホルダーを低コストで提供することができる（図１参照）。
６）更に、ホルダー筐体の押出し成型に関連して、図２に示すように直線、楕円、半円形、曲線形等の各種形状で切断（せん断と称している）加工すると共に、透明素材で成型したホルダーの挟持部材にカラーゴムチューブを用いて挟着構成した場合は、意匠的にも見栄えが良く、ユニークな商品を提供することができる。
【００２４】
さて、本出願人は、先にモニタに最近接して原稿を保持することを課題とした原稿ホルダーの発明を行い、既に、特許願２００３−０４４５９６号として特許出願中である。
上記特許願における原稿ホルダーの構成概要は、薄手の原稿を曲面状に挟持した際に曲げ剛性が大きくなって原稿の折れ曲がりが防止される性質に着眼し、原稿ホルダーを縦型構造としたものである。そして、後述するように縦型のコンパクト構成とすると共に上下対称形とし、モニタ枠の左右何れの配置での取付け（図７、図８参照）やノート型パソコン（図９参照）への着脱式も可能なように工夫したものである。
即ち、第２発明の原稿ホルダーは、本出願人による前記特許願に記載されている構成の原稿ホルダーに、本願発明の前記挟持機構を適用したものである。
【００２５】
【発明の実施の形態】
さて、前記したようにクリップやホルダーにおける重要課題は用紙に対する挟持機構と該着脱時の挟持部の動作対応である。即ち、挟持機構に要望される挟持構成と該機能条件をまとめると、
１）挟持部への用紙挿入がワンタッチ操作で行い得ること。
２）用紙や原稿が充分な挟持力で保持され、且つ、複数枚の挟持状態から１枚ずつの用紙を抜取った場合も他の用紙が抜け落ちずに保持されること。
３）挟持原稿やメモ用紙における端部までの記載内容が読取れること。この条件を満たすには挟持部材を裏面配置として、原稿を透明加工した表面パネルに押圧挟持する必要がある。
４）挟持部材の好ましい実施例としては、ゴムチューブ（カラー）を用いることと関連して、ホルダーに加工した挟持溝にチューブ端を挟着するのみで該他端を挟持片とすることができ、また、ホルダー筐体をＡＳ（透明）樹脂で押出し成型により低コスト量産が可能となる。
【００２６】
本明細書では、構成要部を理解し易くするために同一図番中での各構成部分の名称（用語）について、同様な作用をする部分に関しては同様な名称や符号を用いて各図面中に記載し以下図面と共に説明する。
さて、図１は本第１発明に係る用紙ホルダー１の第１実施例に関し、図１（ａ）は用紙ホルダー１に用紙１３を挟持した使用状態、図１（ｂ）は用紙ホルダー１の斜視図、図１（ｃ）は図１（ａ）における用紙１３保持状態のＡ−Ａ線断面図を夫々示す。
【００２７】
以下、図１（ａ）、図１（ｂ）、図１（ｃ）の図面に関し各図面を同時参照しつつ関連的に説明する。図１に示すようにホルダー筐体１ａは、表面パネル４、表面ガイド部３、基端５、裏面パネル６、該裏面パネル６の折り返し形体による挟着溝７及び裏面ガイド部８、基端５近傍に加工したフック溝９を備え、左右の両側端を開口１０した形体でＡＳ（アクリロニトリル／スチレン）樹脂等の透明素材で押出し成型したものである。
本実施例のホルダー筐体１ａは、図１（ｃ）の断面図に示すように、裏面パネル６の他端を表面パネル６側に折り返した内側を挟着溝７として、該部に挟持部材１１を挟着し、該折り返し外側面で用紙をガイドする裏面ガイド部８とすると共に、表面パネル４の他端部を末広がり形体とした表面ガイド部３を備えて裏面パネル６と表面パネル４が基端５で連結され一体成型加工してある。
即ち、挟着溝７に対して所定寸法ｈで切断したチューブ１１の一端を挟着し、フック溝９にフック２の摺動凸部１４を嵌挿して用紙ホルダー１が出来上がる（図２参照）。なお、本発明におけるホルダー筐体１ａを前記のように透明体に加工した場合は、用紙ホルダー１の内側要部を細線表示するようにホルダー内部が透けて見えることに関連して、挟持部材にカラーゴムチューブ１１を用いた場合は見栄えが良く、外観的にもユニークな用紙ホルダーとなる。
【００２８】
ところで、挟持すべき用紙１３は裏面ガイド部８と表面ガイド部３の開口挿入口１２から挿入することにより、スムースにワンタッチ挿入されて図１（ａ）に示すようにチューブの挟持片１１ａの充分な挟持保持力で安定保持される。また、用紙１３を挿入時と反対方向に抜取る際には円筒加工されたチューブ１１の剛性強さにより、摺動摩擦力で挟持片１１ａが反転される支障は全く生じない。
なお、用紙ホルダー１は図１におけるフック２を取外した状態で、裏面パネル６に粘着テープやマグネットにより目的物に直接固着して用いることもできる。
【００２９】
次に、図２は前記図１と共に説明した用紙ホルダー１の各部の構成部品との関係を説明するための図面である。図２（ａ）は前記押出し成型したせん断加工前のホルダー筐体１ａを示しており、このホルダー筐体１ａの構成材料として好ましくは透明なＡＳ（アクリロニトリル／スチレン）、又は、ＰＶＣ（塩化ビニル）、ＡＢＳ（アクリロニトリル／ブタジエン／スチレン）樹脂等の熱可塑性プラスチックを用いることができ、これらの材料を図１（ｃ）に示すような断面形状で、長尺物として連続押出し成型することにより低コスト量産が可能である。
一方、図２（ｂ）は図２（ｃ）に示す外径ｄ１、内径ｄ２の長尺物として押出し成型で製品化された周知のゴムチューブであり、図２（ｂ）のようにＣ−Ｃ線で所定寸法長ｈに切断し、前記図１と共に説明した用紙ホルダー１の挟着溝７に挟着し、挟持部材とするゴムチューブ１１である。
【００３０】
また、ゴム素材を用いた挟持部材１１としては図２（ｄ）〜図２（ｉ）に加工例を示すように各種形体に加工したものを用いることができる。例えば、図２（ｄ）は断面が楕円の円柱形、図２（ｅ）は断面がカマボコ形のチューブ、図２（ｆ）は角型チューブ、図２（ｇ）は断面が図示形状のチューブ、図２（ｈ）は断面がＣ型形状、図２（ｉ）は、断面を略Ｖ字型の加工形体のものである。夫々図示のような形状や外径寸法と共にゴム硬度等を勘案し、前記図１のように挟着溝７に挟着した際に所望の挟持保持力が得られる挟持部材１１に加工して用いることで同様に目的が果せる。
なお、前記各挟持部材は前記ゴム素材以外に所謂ポリエステル系熱可塑性エラストマー（ＴＰＥＥ樹脂）等で加工して用いてもよい。
【００３１】
次に、図２（ｊ）、図２（ｋ）は用紙ホルダー１の懸着用ホック２単体である。フック２には、ホルダー筐体１ａのフック溝９に嵌挿するための摺動凸部１４や用紙ホルダー１を壁面などに懸着した際に用紙ホルダー１を壁面に圧接するための屈曲部１５及び吊り穴１６が設けられている。なお、本目的のフック２としては、近年カレンダーの懸吊用として普及し該カレンダー保持具に付属しているフック部品を流用するとコスト的にも大いに有利である。
ところで、図２（ｃ）のゴムチューブ１１をホルダー筐体１ａの挟着溝７に挟着するには図２（Ｌ）のように、例えば、ピンセット１９で押し潰して挟持し、挟着溝７の所定位置に押込むことで簡単に挟着することができる。
【００３２】
次に、図３の各図は用紙ホルダー１要部の寸法関係と製品化例を示す。即ち、図２と共に前記したように押出し成型されたホルダー筐体１ａは、冷却、固化後に、図２（ａ）のＣ−Ｃ切断（せん断と称している）線１７で図示のようにＷ１やＷ２…、Ｗｎ等の所望寸法に切断すると共に端部を円弧Ｒや面取り加工仕上げしたものである。そして、そのせん断加工されたホルダー筐体１ａにチューブ色やせん断幅寸法に応じた個数の挟持部材のチューブを挟着したのが図３に示す用紙ホルダー１の製品例である。
【００３３】
図３（ａ）、図３（ｂ）は、前記図１（ｂ）、図１（ｃ）と同一図面を実施例要部の寸法図と示したものである。ちなみに、図３各部の外形寸法は、Ｗ１：５０ｍｍ、Ｈ１：３０ｍｍ、Ｈ２：２３ｍｍ、Ｄ１：１１ｍｍ、Ｇ：１．５ｍｍ（挿入口ギャップ）、フック２のＷ４：１８ｍｍ、Ｈ３：２７ｍｍであり、そして、図２（ｃ）のチューブ１１としては、切断寸法ｈ：１２ｍｍ、外径ｄ１：８．４ｍｍ、内径：６ｍｍのＣＲ（クロロプレンゴム）製に着色した硬度４０〜５０度のカラーチューブ、又は、ＵＲ（ウレタンゴム）、シリコンゴム製等のゴムチューブを用いると好適である。
図３（ｃ）は、横幅Ｗ２：１２０ｍｍにせん断加工し図示のようにゴムチューブ１１を両側に２個挟着した実施例であり、更に、図３（ｄ）は例えば、Ｗ３：３００ｍｍの幅広型として、裏面パネル６に粘着テープやマグネット２０を貼り着して白（黒）板や壁面などに掲示板用とした用紙ホルダー例で、３個のゴムチューブ１１が挟着してある。なお、本実施例のように中央部にチューブ１１を挟着するには、一旦、チューブ１１を端部に挟着した状態から押込み工具を用いて所望位置まで押込み移動すればよい。
【００３４】
図４は、用紙ホルダー１の第２実施例を示す。図示のように本実施例は、挟持部材１１の配設挟着の関係を前記第１実施例と逆配置にしたものである。
即ち、第２実施例の斜視図を図４（ａ）に、Ａ−Ａ線断面図を図４（ｂ）に示すように、本実施例では図４（ｂ）における表面パネル４の他端を折返し形体として、折返し内面を挟着溝７、外面を表面ガイド部３とすると共に本第２実施例の挟持部材には、前記図２に示した挟持部材中の例えば、図２（ｉ）を用いて図４（ｂ）のように挟着溝７及び基端５に設けた挟着溝７ａとに挟持部材１１の両端を挟着し、挟持片１１ａを裏面パネル６に押圧当接して、挿入口１２から挿入した用紙１３を裏面パネル６側に押圧挟持するように構成した第２実施例の用紙ホルダー１である。
また、この第２実施例ではフック溝９をホルダー筐体１ａの基端５に加工し、懸吊用のフック２を該部に嵌挿してある。
【００３５】
さて、前記用紙ホルダー１の外観形状を変えた第１実施例について図５と共に説明する。外観形状を図５（ａ）の半円形や図５（ｂ）の円形に加工した用紙ホルダー１は、前記図２（ａ）のホルダー筐体１ａに対して一点斜線で示す半円形１８ａや円形１８ｂで示すせん断軌跡で加工した実施例である。
第１発明の用紙ホルダー１は、図２（ａ）に示したホルダー筐体１ａを押出し成型したことによりホルダー筐体１ａに対して、せん断形状を変えるのみでホルダー筐体１ａは共通のまま、各種外観形状や横幅Ｗを異にした用紙ホルダー１への対応が可能なのが大きな特徴である。
更に、前記ホルダー筐体１ａを透明体としカラーチューブ１１を挟持部材に用いた場合は、外観が各種バラエティーに富んだ用紙ホルダーを低コスト提供することができる。
【００３６】
更に、図６に変形した用紙ホルダー１の第３実施例を示す。本実施例の用紙ホルダー１は、外観斜視図を図６（ａ）、該Ｄ−Ｄ線断面を図６（ｂ）に示すように、前記実施例における２個の用紙ホルダー１の基端５を背中合わせに突き合わせに固着したような形体のもので、使用状態を図６（ｃ）に示す。即ち、この第３実施例は、縦型配置として両側から用紙１３を挟持保持し得るようにした用紙ホルダー１である。この本実施例のホルダー筐体１ａは、図６（ｂ）に断面図を示すように図２を参照に前記した第１実施例同様、円形にせん断加工仕上げして用いることができる。
この第３実施例の用紙ホルダー１は、所謂メモクリップとして冷蔵庫やボード、車のダッシュボード等に粘着テープやマグネット２０で固着して図６（ｃ）のように、例えば、左側にメモ用紙１３、右側に領収書、駐車券等と使い分ける所謂ペアー型のメモクリップとする使用目的に便利である。
【００３７】
なお、この第３実施例のように用紙ホルダーを縦型に用紙挟持する際の挟持部は図６（ｄ）のような作用状況となる。図６（ｄ）は、図６（ｃ）のように用紙１３が挟持されたＥ−Ｅ線から右側を見た切断図である。この場合、チューブ１１の挟持片１１ａで用紙端が保持された用紙１３には、図６（ｄ）に示す加重方向２１に加重力が作用し、この場合の用紙１３は上端がチューブ挟持片１１ａで挟持されると共に用紙下端が加重支点２２で支持されて、所謂、２点支持構成で用紙１３が挟持保持されることになる。従って、用紙ホルダー１を特に小型の縦型として用いる場合は、挟持部材１１を図５（ａ）のように用紙ホルダー１の上端に挟着配置して用いればよい。
【００３８】
さて、次に本発明の用紙ホルダー１をモニタ枠に取付けて原稿ホルダーとして用いる場合の第２発明の原稿ホルダー１ｂについて、図７に示す第４実施例と共に説明する。本原稿ホルダー１ｂにおける原稿の挟持部は、前記第１発明の用紙ホルダーと全く同様構成の挟持部を適用することができる。
先ず、本第２発明の原稿ホルダー１ｂの特徴について列記すると、
１）図７や図８の使用状態の斜視図から明らかなように、特に、原稿端部を曲面状（湾曲状）に挟持する縦型構造とした結果、原稿ホルダーとして場所を占有することなく図示のように極めてコンパクト化が図れる。
２）上下を対称形にしたことで作業者の好みやモニタの設置場所等の都合により、原稿ホルダー上下を逆にするのみで図７、図８のようにモニタ左右何れの取り付け配置にも対応可能である。
３）前記用紙ホルダー１のフック２に置換え、カーソルバー２４を原稿に載置移動し、入力行の視認機能が実現できる。
４）縦型にしたことと関連し、予め複数枚の用紙挟持状態から入力済みの１枚ずつの原稿を抜取った場合も残りの用紙が抜け落ちない。
【００３９】
では、原稿ホルダー１ｂとして構成した第４実施例の具体的構成内容について図７の各図と共に概要を説明する。図７（ａ）は原稿ホルダー１ｂの第４実施例斜視図を示し、図７（ｄ）はＥ−Ｅ線部の断面である。本第４実施例は、図７（ｄ）に示すように前記用紙ホルダー１のフック溝９の代わりにカーソル溝を形成し、例えば、該カーソル溝９ａを表面パネル４端部に移設したもので表面ガイド部４ａ、表面パネル４、基端５、裏面パネル６及び挟着溝７に対する挟持部材（チューブ）１１の挟着溝７等は前記用紙ホルダー１と同様に構成して用いることができる。
しかし、図７（ｄ）の断面図のように原稿ホルダー１ｂのホルダー筐体１ａは、裏面パネル６の他端に曲面ガイド部８ａと、該曲面ガイド部８ａから表面パネル側へ所定の傾斜角θ（図８参照）をもって伸設された原稿支持部２３とを備え、一方の表面パネル４の他端には前記原稿支持部に対して末広がりの角度をなして該原稿支持部よりも短く伸設された表面ガイド部３を備えた点が構成上の特徴である。
【００４０】
そして、図７（ｃ）は原稿ホルダー１ｂと共に用いるカーソル２４を示す。カーソル２４は、端部に摺動凸部１４、屈曲部１５、他端に曲面２７等を備えると共にカーソル線２５をシルク印刷して該摺動凸部１４をホルダー筐体１ａのカーソル溝９ａに摺動自在２７に嵌挿する。
原稿ホルダー１ｂは、図７（ｂ）に示すように、例えば、粘着テープ２０を介してモニタ２８の左垂直枠２８ａに貼り着する。そして、原稿１３を背面支持部２３に押し当てるようにして、表面ガイド部３との開口挿入口１２からセットした原稿ホルダーの使用状態が図７（ｅ）である。即ち、原稿ホルダー１ｂに挟持保持される原稿端部が表面ガイド部３と曲面ガイド部８ａとに挟持されて曲面状とされ、大きな曲げ剛性で安定保持されて他端や上下部が折れ曲ることなく、更に、原稿５はモニタ画面の正面側に４０°位の丁度見易い角度で前面に折れ曲った状態で保持される。
そして、原稿１３が任意の所望高さにモニタ画面と最近接して係止掲示されるので入力行が大変見易い特徴がある。
【００４１】
次に、図８は原稿ホルダー１ｂの第５実施例であり、図８（ａ）は原稿ホルダー１ｂをモニタの右側配置にした使用状態を示している。そして、図８（ａ）は原稿ホルダー１ｂへの複数枚の原稿挟持状態から、入力済みの１枚目を取出し方向１２ａに抜取る状況を示している。
即ち、本原稿ホルダー１ｂは縦型構造としたことに関連し、図８（ｃ）に縦断面図を示すように、例えば、挟持部材のゴムチューブ１１を３個離間配置として、該縦方向の３箇所の挟持片１１ａで原稿１３を表面パネル４に押圧挟持する場合は、原稿１３が曲面挟持される相乗効果と相まって充分大きな挟持力で保持される結果、図８（ａ）に示すように予め複数Ｎ枚の原稿挟持状態から入力用済みの表側の１枚目を引上げても、１枚目の引上げと同時に２枚目以降が引き摺られることなく、又、抜け落ちこともないのが本発明における縦型原稿ホルダーの特徴である。
従って、本原稿ホルダー１ｂを用いた場合は、予め１０枚程度の原稿セット状態から入力済みの１枚ずつが順次に抜き取れて、前記カーソル機能と共に高効率で入力作業が行える大きな効果がある。
【００４２】
なお、この原稿ホルダー１ｂとしての第５実施例におけるカーソル溝９ａは、図８（ｂ）のようにホルダー筐体１ａの基端５に加工すると共に、該カーソル溝９ａに嵌挿すべきカーソル２４の摺動凸部１４は図８（ｄ）のように直角折曲げ形体として着脱式にしてある。この第５実施例原稿ホルダー１ｂでは、カーソル２４を摺動することなく固定したままの状態とし、逆に、原稿１３の入力行を単位として順次引上げ操作しつつ原稿入力行の視認作業を行うようにしたものである。従って、本第５実施例の原稿ホルダー１ｂとしては、図８（ｃ）に示す縦方向寸法をＨ５：１２０ｍｍ位の短尺にせん断加工したもので目的が果せる。
ここで、以上に記述した第２発明の原稿ホルダー１ｂにおける他部分の実施例寸法を図７、図８と共に記載すると、Ｌ１：４０ｍｍ、Ｄ２：２６ｍｍ、Ｇ：１．５ｍｍ、θ：略４０°、及びカーソルの全長Ｌ２：略２１０ｍｍ、そして、図７の第４実施例原稿ホルダーにＡ４サイズ原稿を保持し、該全原稿範囲にカーソルを摺動する構成として実施する場合は、Ｈ４：３００ｍｍ位にせん断加工して用いればよい。
【００４３】
図９は、原稿ホルダー１ｂを所謂ノート型パソコン３７の上蓋３８に着脱式として用いる場合の第６実施例である。第２発明の原稿ホルダーは機能的に前記図８（ａ）に示したように原稿端部を一杯迄引上げ係止した場合も、原稿１３が折れ曲がることなく、また、所望の任意高さ位置に係止保持し得る利点があり、該機能活用により座高の低いノート型１９の原稿保持用としても効果を発揮する。図９（ａ）は、原稿ホルダー１ｂを着脱に便利なようにノート型パソコンの上蓋３８に着脱自在構成とした第６実施例である。
この実施例では原稿ホルダー１ｂの上蓋３８への着脱式構成とするため、裏面パネル６に対してクリップ式ホルダー２９を一体構成した実施例である。そして、クリップ式ホルダー２９のクリップ機構部の実施例を分離拡大して図９（ｂ）に示す。
【００４４】
即ち、クリップ機構部は裏面パネル６の裏面に設立した支点スタッド３２ａ、３２ｂ、及び、挟み板３１に設立された支点スタッド３２ｃ、３２ｄ、スプリングスタッド３３ａ、３３ｂ、及び、支点ピン３４ａ、３４ｂやスプリング３５を備えて構成した周知のクリップ機構と同様構造のものである。
図９（ｃ）は、図９（ａ）のようにクリップ式ホルダー２９が組立された挟み板２９の他端を押圧して挟み板３１の挟持部を開き、ノート型パソコン３７の上蓋３８の所望位置にクリップ式ホルダー２２でクリップ取付けした状態である。また、図８（ｂ）に示すクリップ機構は分離別体で加工した形体のものを裏面パネル６に固着して用いてもよい。
なお、以上に示した用紙ホルダー及び原稿ホルダーの各実施例は、裏面パネルと表面パネルの基端を連結し一体型で押出し成型してホルダー筐体１ａとする場合の実施例を示したが、裏面パネルと表面パネルの各々を別体加工後に、基部５で固着した形体でホルダー筐体１ａ、及び原稿ホルダー１ｂとして用いた場合も同様に目的が果せ得る。
【００４５】
【発明の効果】
本発明に係る用紙ホルダー及び原稿ホルダーの効果を列挙すると、
１）強剛性を有するようにゴム素材等で加工した挟持部材の一端をホルダー筐体に形成した挟持溝に挟着すると共に、他端を用紙又は原稿の挟持片とすることによって、該用紙又は原稿を前記挟持片で表面パネル又は裏面パネルに良好に押圧挟持することができる。
２）前記挟持部材としてゴムチューブを用いることにより、用紙又は原稿を該ゴムチューブに周接させながら円滑に挿入することができると共に、該ゴムチューブの剛性強さと弾力効果によって充分な挟持力をもって用紙又は原稿を保持させることができる。また、用紙又は原稿を取出す際には、ゴムチューブの挟持片が引き摺られて反転されることはないので、前記特許文献に開示されているような欠点が解消されたものとなる。
３）ホルダー筐体を、裏面パネルと表面パネルとから構成し、該パネルに挟持溝を備えると共にこれらの両側端を開口した形体でホルダー筐体を一体として、透明性のＡＳ樹脂等により押出し成型（異形押出し）で低コスト生産が図れる。
【００４６】
４）特に、原稿ホルダー用として用いる場合は挟持原稿の端部内容が読取れる必要があるが、表面パネルに透明な熱可塑性プラスチックＡＳ樹脂（アクリロニトリル／スチレン）等を用ることにより、その目的が良好に果される。
５）ホルダー筐体を押出し成型とすることによって、ホルダー筐体にフック溝やカーソル溝を容易に形成することができ、フック付用紙ホルダーやカーソル付原稿ホルダーとして低コストで機能性を高めることができる。
６）また、ホルダー筐体を透明素材で一体成型すると共に、直線、楕円、半円形、円形等の形状でせん断加工し、挟持部材としてカラーゴムチューブを用いることで意匠的にもユニークな製品を提供することができる。
【００４７】
７）本原稿ホルダーは、原稿端部を曲面挟持として大きな曲げ剛性で挟持し縦型構造とした結果、本質的にコンパクト化が達成され、使用、不使用時の如何を問わず場所を取らない（邪魔にならない）。
８）縦型原稿ホルダーの上下を対称形にしたことで、モニタの左右何れの取り付け配置にも対応可能である。
９）原稿着脱操作がワンタッチ操作で行い得、且つ、原稿がモニタ画面に最近接した見易い角度と高さ位置に掲示される。
１０）本縦型原稿ホルダーでは、特に、縦型配置の原稿挟持部と原稿端部の曲面挟持の相乗効果により、予め複数枚の原稿セット状態から入力済みの１枚ずつが抜き取れるので、前記記載内容と関連して入力作業が楽に高効率で行い得る。
【図面の簡単な説明】
【図１】第１実施例の用紙ホルダーの使用状態及び斜視図と断面図である。
【図２】ホルダー筐体、ゴムチューブ素材、各種挟持部材及び各構成部品の関係斜視図である。
【図３】第１実施例の用紙ホルダー寸法及び各実施例の斜視図である。
【図４】第２実施例の斜視図と断面図である。
【図５】用紙ホルダーを半円形及び円形とした第１実施例の斜視図である。
【図６】第３実施例の斜視図、断面図、使用状態及び保持機構の説明図である。
【図７】原稿ホルダーの第４実施例とモニタに取付けた使用状態の斜視図及び断面図である。
【図８】原稿ホルダーの第５実施例の使用状態の斜視図と断面図及び保持状態の説明図である。
【図９】原稿ホルダーの第６実施例の用紙ホルダーとノート型パソコンに取付けた斜視図である。
【図１０】特許文献１からの引用図面である。
【図１１】特許文献２からの引用図面である。
【図１２】特許文献３からの引用図面である。
【図１３】従来の実施例データスタンドの説明図面である。
【符号の説明】
１…用紙ホルダー、１ａ…ホルダー筐体、２…フック、３…表面ガイド部、４…表面パネル、５…基端、６…裏面パネル、７…挟着溝、８…裏面ガイド部、８ａ…曲面ガイド部、９…フック溝、１０…開口、１１…挟持部材（チューブ）、１１ａ…挟持片、１２…挿入口、１３…用紙（原稿）、１４…摺動凸部、１５…屈曲部、１６…吊り穴、１７…せん断（切断）線、１８ａ…半円形せん断、１８ｂ…円形せん断、１９…ピンセット、２０…粘着テープ（又はマグネット）、２１…加重方向、２２…加重支点、２３…原稿支持部、２４…カーソル、２５…カーソル線、２６…曲面、２７…スライド方向、２８…モニタ、２９…クリップホルダー、３０…クリップ機構、３１…挟み板、３２ａ〜３２ｄ…支点スタッド、３３ａ、３３ｂ…スプリングスタッド、３４ａ、３４ｂ…支点ピン、３５…スプリング。
【図１】
2004322355.tif 000003
【図２】
2004322355.tif 000004
【図３】
2004322355.tif 000005
【図４】
2004322355.tif 000006
【図５】
2004322355.tif 000007
【図６】
2004322355.tif 000008
【図７】
2004322355.tif 000009
【図８】
2004322355.tif 000010
【図９】
2004322355.tif 000011
【図１０】
2004322355.tif 000012
【図１１】
2004322355.tif 000013
【図１２】
2004322355.tif 000014
【図１３】
2004322355.tif 000015